(57)【要約】本発明は、スキーの長手方向においてジグザグに複数の線として延在する、長手方向列に配置された溝またはスリット（３）を有する、滑走体、例えば、特にクロスカントリスキー等のスキーのための木製の軽量構造コアに関する。溝またはスリット（３）は走行面に向かってのみ開放する。長手断面から見ると、該溝またはスリットは円弧形であるか、または長手方向に円形コーナーを有する。
2004534627.tif 000002
【特許請求の範囲】
【請求項１】
長手列に配置された複数の溝またはスリット（３）を有し、前記溝またはスリットがスキーの長手方向に延びかつ相互に対して列方向にオフセットしているスキー、特にクロスカントリスキー等の滑走体用の木製軽量構造コアにおいて、前記溝またはスリット（３）は、それぞれ、結合領域において走行面に向かってのみ開放しかつ長手断面から見て円弧形、または円形コーナを有する細長い形状に形成されていることを特徴とする、軽量構造コア。
【請求項２】
隣接する溝列の溝またはスリット（３）は相互に対して溝の長さの半分だけオフセットしていることを特徴とする、請求項１による軽量構造コア。
【請求項３】
コア材料として木材が使用される場合に、前記溝またはスリット（３）はそれぞれが円形鋸をコア材料へ序々に移動することにより形成されることを特徴とする、請求項１または２による軽量構造コアを製造する方法。
【請求項４】
前記コアは製造するスキーの幅の少なくとも二倍にプレスされかつ個別スキー幅に切断されることを特徴とする、請求項３による方法。
【請求項５】
前記コアはスキーの長手方向に延びた、接着結合した薄板を共にプレスして形成され、かつ少なくとも結合領域にネジ導入のための壁部を有することを特徴とする、請求項３による方法。
【発明の詳細な説明】
【技術分野】
【０００１】
本発明は請求項１の序文による軽量構造コアに関する。
【背景技術】
【０００２】
軽量構造コアは特にアルペンスキー、クロスカントリスキー、ジャンピングスキー、他のタイプのスキーまたは同様の滑走体に結合もくしは組み合わせて使用できる。
【０００３】
従来、ハニカムタイプのコアが上述のスキーの重量軽減に使用されている。ＡＴ２３１３２３Ｂから、垂直位置に設けたセルフォイルと共にハニカムコア材料により構成されたコアが既知であり、このコアは支持上部と支持底カバーシート間に配置され、セルフォイルは相互に平行かつスキー長軸に配向された波状材料により形成されかつスキーコアの全高にわたって延在する。波状フォイルはスキーの生産を不便にするばかりでなく、特定の構造的特徴が備わった場合にのみかかるスキーは捩じり剛性および屈曲強度に関する要求に応えるものであり、そのことは、特に、クロスカントリスキーの場合に顕著である。
【０００４】
ＤＥ−ＯＳ１９１６０４３から、発泡体として設計されるスキーの構造部が既知であり、発泡体は複数のリセスを有し、リセスは円筒要素の挿入によって発泡体の製造時にすでに開けられかつオフセット配置ではない。
【０００５】
ＤＥ３６３９４１１Ａ１から、スキーコアは合成またはプラスチック材料によるサイドコートによって構成することが知られており、かつ木材で形成されたコンポジットインサートは上下両側からの切削を有し、かつウエストを有するスキーを形成するために横切る方向において弾性圧縮可能である。
【０００６】
【特許文献１】
ＡＴ２３１３２３Ｂ、ＤＥ−ＯＳ１９１６０４３、ＤＥ３６３９４１１Ａ１
【発明の開示】
【発明が解決しようとする課題】
【０００７】
本発明の課題は軽量構造コアを製造する方法を提供することである。
【０００８】
本発明の他の課題は、本発明は重量の高軽量化と共に良好な強度特性を有し、かつ更にコア面の残部上への結合ネジの固定を可能にする軽量構造コアを提供することである。
【課題を解決するための手段】
【０００９】
本発明によれば、この課題は、請求項の特徴部に記載の手段または方法により達成される。
【発明の効果】
【００１０】
スキーの両側に設けられる既知切開と比較して本発明による走行面側にのみ開放する溝により、実質的に更に良好な走行特性が達成される。
【００１１】
請求項２による特徴は最良の重量軽減に対して特に高いコア安定性を確保する。
【００１２】
請求項３による方法によって、特に経済的かつ簡単なコア製造が達成できる。
【００１３】
請求項４による方法によって、一プレス工程（手順）により二片のスキーを製造可能であり、それによりそのプレス領域においてネット製品を二倍にする。
【００１４】
請求項３による方法との組み合わせにおいて、請求項５による方法は本発明の方法の他の改良を提供する。
【発明を実施するための最良の形態】
【００１５】
本発明の他の特徴は本発明が主旨を実施する二つの実施形態を示す図面を参照して更に詳細に説明する。
【００１６】
図１において、二重コアは参照番号１により示され、かつスキーの長手方向に延在する薄板により接着結合される。走行面側から複数の溝またはスリット３がコア１にカットされ、好ましくは円形鋸により切削され、溝３はスキーの長軸Ａ−Ａに平行に延びる連続的列に配置されオフセットしている。一本または複数の鋸刃を移動することにより、図３に示されたように、スキーの長軸Ａ−Ａに平行またはスキーの長軸方向に円形コーナー２を有する細長い溝を形成する。当然ながら、スキーの長手方向において鋸刃に対してスキーを移動させることが可能である。重要なことは、スキーの長手方向に延びる溝を形成するときに、スキーの長手方向においてスキーと鋸刃間の相対的運動が行なわれ、かつ更に円形鋸が反対方向における長手方向運動を実行することである。
【００１７】
溝のオフセットは他のいずれの関係においても均一または不均一にすることができる。このようにして、溝は周期的にまたは統計学的距離でコア材料により遮断され、そのようにしてスキー重量の最良減量と共に走行面側でのベルトの締結、走行面コーティング等のために十分な接着領域が提供され、スキーの横軸およびスキーの長軸に対して側方圧力安定性を得るためにコアを形成する側壁は隣接溝の中間壁よりも厚く形成されてよい。
【００１８】
図３に示されたように、溝はスキーの長手方向に延在しかつ円形コーナー２を有する。
【００１９】
図４および５による軽量構造コアの形態において、相互に対して接着結合される薄板（lamellae)は参照番号６により示されている。
【００２０】
この軽量構造コアの形態において、図５に示されたように、溝３は半円形でありかつコア１へ円形鋸を簡単に移動させることにより形成される。溝は、当然ながら、セクタ形状であってよい。
【００２１】
図示二重コアにおいて、塊状の長手ウエブ７は薄板６の幅の二倍の幅を有し中間領域に設けられ、かつコアが一点鎖線により示されたように個別コア１’，１”に分割されるときに、切断される。
【００２２】
本発明の範囲において、当然ながら，種々の構造上の変更が可能である。例えば、ネジ締結領域において結合ネジまたは同様の締結手段が導入できる材料もしくは物を溝に充填することが可能である。
【図面の簡単な説明】
【００２３】
【図１】図２の矢印Ｉ−Ｉの方向における二重コアの中央断面を示す。
【図２】矢印ＩＩ−ＩＩの方向における図１によるコアの底面を示す。
【図３】図２の矢印ＩＩＩ−ＩＩＩの方向の断面を示す。
【図４】個別ボードの接着結合を示す図１による形態に類似の二重コアの断面を示す。
【図５】図４のＶ−Ｖ線による断面を示す。
【国際公開パンフレット】
2004534627.tif 000003
2004534627.tif 000004
2004534627.tif 000005
2004534627.tif 000006
2004534627.tif 000007
2004534627.tif 000008
2004534627.tif 000009
【国際調査報告】
2004534627.tif 000010
2004534627.tif 000011
2004534627.tif 000012
2004534627.tif 000013
2004534627.tif 000014
2004534627.tif 000015